(57)【要約】【課題】システム制御の複雑度を最小化し、システム具現費用を節減できるように最小数量のＡＷＧを利用して多重化/逆多重化器を具現した光回線分配システムを提供する。【解決手段】多重化/逆多重化機能を行うＮ×Ｎアレイ導波路格子（ＡＷＧ）と、ＡＷＧを介して両方向の信号が伝達されるようにする光サーキュレータと、ＡＷＧのＮ個の逆多重化ポートを相互接続する光分岐装置と、光分岐装置と接続された光スイッチングブロックとを備え、光分岐装置から分岐された光信号のうち一つは該当波長の光スイッチングブロックに入力されて所望の出力端子に分配され、他の一つは動作波長領域にない光スイッチングブロックに入力されてろ波されることを特徴とする。【選択図】　図２
2004135331.tif 000002
【特許請求の範囲】
【請求項１】
　波長分割多重化された光信号を入力するＭ(２以上の偶数)個の入力端子と、波長分割多重化された光信号を出力するＭ個の出力端子とを備える光回線分配システムにおいて、
　一側に２つのポート及び他側にＮ(自然数)個のポートを備え、波長分割多重化/逆多重化機能を有する多数の波長分割多重化/逆多重化装置と；
　それぞれ前記波長分割多重化/逆多重化装置の一側ポートに接続され、前記入力端子から入力され、波長分割多重化された光信号を波長分割多重化/逆多重化装置の一側ポートにそれぞれ出力し、波長分割多重化/逆多重化装置の一側ポートから波長分割多重化された光信号をそれぞれ入力して前記出力端子に出力する双方向信号伝送のための複数の光サーキュレータと；
　それぞれ前記波長分割多重化/逆多重化装置のＮ個の他側ポートに接続され、前記波長分割多重化/逆多重化装置から出力され、波長分割逆多重化された逆多重化波長の光信号を分岐させる多数の光分岐装置と；
　光分岐装置から分岐された光信号を該当波長別に入力し、所望の経路に分配し出力するＮ個の各波長用光スイッチングブロックとを含めてなり、
　前記光分岐装置から分岐された光信号のうち一つは該当波長の前記光スイッチングブロックに入力されて所望の出力端子に分配され、他の一つは動作波長領域にない光スイッチングブロックに入力されてろ波されることを特徴とする光回線分配システム。
【請求項２】
　前記各波長用光スイッチングブロックは、
　Ｍ×Ｍマトリックス構造の光スイッチング装置と；
　前記光スイッチング装置のＭ個の入力端及びＭ個の出力端にそれぞれ接続されて前記光スイッチング装置との入力及び出力の双方向の信号を伝送する光サーキュレータとを備えることを特徴とする請求項１に記載の光回線分配システム。
【請求項３】
　前記各波長用光スイッチングブロックは、前記光サーキュレータを介して前記光スイッチング装置のＭ個の入力端に入力される光信号の雑音発生を防止するための広域通過フィルタをさらに備えることを特徴とする請求項２に記載の光回線分配システム。
【請求項４】
　前記入力端子及び出力端子の個数Ｍは２であることを特徴とする請求項１に記載の光回線分配システム。
【請求項５】
　前記光スイッチングブロックは、
　それぞれ前記Ｎ個のカプラの分岐されたそれぞれのポート間に配置され、相互接続された前記波長分割多重化/逆多重化装置の個別ポートから入力される該当波長の両光信号を進行方向に伝送したり、各光信号の進行方向と逆方向に伝送することを特徴とする請求項４に記載の光回線分配システム。
【請求項６】
　前記光スイッチングブロックは、
　前記Ｎ個のカプラの分岐されたそれぞれのポートに接続されて該当波長の光信号を通過させる１対の広域通過フィルタ；及び
　前記１対の広域通過フィルタ間に配置されて該当波長の両信号を進行方向に通過させたり、それぞれの進行方向の逆方向に反射させる光学用鏡を備えることを特徴とする請求項５に記載の光回線分配システム。
【請求項７】
　前記光スイッチングブロックは、それぞれ前記Ｎ個のカプラの分岐されたそれぞれのポート間に配置され、該当波長の光信号を反射させるブラッグ格子から構成されることを特徴とする請求項５に記載の光回線分配システム。　
【発明の詳細な説明】
【技術分野】
【０００１】
　本発明は、光通信システムに関し、特に、入力光ファイバを介して入力され、波長分割多重化された光信号チャネルを逆多重化し、スイッチングした後に再び波長分割多重化して出力光ファイバに出力する光回線分配システムに関する。
【背景技術】
【０００２】
　近来、一本の光ファイバ内で複数の波長を使用する波長分割多重(wavelength division multiplexing)技術が実用化されるに伴って多数の超高速・大容量光信号の伝送が可能になった。また、光素子技術の発達により光階層で光信号の経路設定、分配及び分岐/結合が可能になったことによって波長分割多重技術に基盤をおいた光通信ネットワークの構築が可能になってきた。
【０００３】
　波長分割多重方式光通信ネットワークは、光回線分配システムを使用するメッシュ構造のネットワークに構成されるのが一般的であり、このような光通信ネットワークのノードには波長別に光信号を分配できる光回線分配システムが使用される。そして、光通信ネットワークにおける光経路は、光回線分配システムの分配状態に基づいて決定される。したがって、波長分割多重方式光通信ネットワークを効率的で経済的に運用する上で簡単で経済的な光回線分配システムの開発は必須要素となる。ちなみに、本明細書全般にかけて“分配”は、ルーティングとスイッチング概念を包括する意味として使用している。
【０００４】
　図１は、従来の２×２光回線分配システムの構成を示す図である。
【０００５】
　図１に示すように、それぞれ入力端子の数が２つ、出力端子の数が２つを有した従来の２×２光回線分配システム１００は、入力端子１及び入力端子２に入力されたλ１、λ２、λ３、....、λＮ波長を波長分割多重化した光信号に逆多重化して出力するための２つの１×Ｎ波長分割逆多重化器１１０を有し、この２つの１×Ｎ波長分割逆多重化器１１０から出力した同一波長の光信号を入力して所望の出力端子に分配出力する分配機能を有するＮ個の光分配装置１２０、及びこのＮ個の光分配装置１２０から出力される信号を多重化するための２つのＮ×１波長分割多重化器１３０を備えている。
【０００６】
　次に、上述した構成を有する２×２光回線分配システム１００の動作を詳細に説明する。まず、波長分割逆多重化器１１０は、入力端子１及び入力端子２に入力される多重化された光信号を各波長別に分離し、それぞれの波長に該当する光分配装置１２０へ出力する。そして、光分配装置１２０は、波長分割逆多重化器１１０から出力されたその動作領域にある波長の光信号を入力して分岐/結合あるいは通過させた後その出力端子に分配する機能を有する。また、波長分割多重化器１３０は光分配装置１２０から出力された複数の異なる波長を有する光信号を入力して波長分割多重化した後、出力端子１及び出力端子２を介して出力する。
【０００７】
　波長分割多重化器及び波長分割逆多重化器には、光信号チャネルの拡張が容易で、しかも制御が簡単な集積度(integration)に優れたアレイ導波路格子(Arrayed-Waveguide Grating：ＡＷＧ)が最も多く使用される。したがって、従来の技術を用いて２×２光回線分配システムを具現化する場合、４つの１×Ｎ　ＡＷＧが必要となる。また、図１に示すように、４つの１×Ｎ　ＡＷＧはいずれも２Ｎ個の波長（入力端子１に入力されるＮ個の波長＋入力端子２に入力されるＮ個の波長）が正常的に多重化され、しかも逆多重化されなければならないので、いずれも同じ動作特性を持つように制御する必要がある。また、一本の光ファイバ当たりＮ個の光信号が伝達される時、入力と出力の光ファイバがそれぞれＭ個の光回線分配システムの制御には、２Ｍ個の１×Ｎ　ＡＷＧが必要となり、Ｎ個のＭ×Ｍ光スイッチが必要となる。この時、２Ｍ個の１×Ｎ　ＡＷＧは波長伝送特性がいずれも同一になるように制御される必要がある。したがって、システム制御時において複雑度が増加するのと、回路構成に必要な素子数が多いので、コスト高になるという問題があった。
【発明の開示】
【発明が解決しようとする課題】
【０００８】
　このような問題点を解決するための本発明の目的は、システム制御時において複雑度を最小化し、且つシステムを具現化する費用が節減できるように最小個数のＡＷＧを利用した光回線分配システムを提供することにある。
【課題を解決するための手段】
【０００９】
　このような目的を達成するための本発明の光回線分配システムは光回線分配システム波長分割多重化された光信号を受信するＭ(２以上の偶数)個の入力端子と、波長分割多重化された光信号を出力するＭ個の出力端子とを備える光回線分配システムにおいて、２個の一側ポート及びＮ(自然数)個の他側ポートを備え、波長分割多重化/逆多重化機能を行う多数の波長分割多重化/逆多重化装置と；それぞれ波長分割多重化/逆多重化装置の一側ポートに接続され、入力端子から入力された波長分割多重化された光信号を波長分割多重化/逆多重化装置の一側ポートにそれぞれ出力し、波長分割多重化/逆多重化装置の一側ポートから波長分割多重化された光信号をそれぞれ受信して出力端子に出力する双方向信号伝送のための多数の光サーキュレータと；それぞれ波長分割多重化/逆多重化装置のＮ個の他側ポートに接続され、波長分割多重化/逆多重化装置から入力された波長分割逆多重化された個別波長の光信号を分岐させる多数の光分岐装置と；光分岐装置から分岐された光信号を該当波長別に受信して所望の経路に分配し出力するＮ個の各波長用光スイッチングブロックとを含めてなり、光分岐装置から分岐された光信号のうち一つは該当波長の光スイッチングブロックに入力されて所望の出力端子に分配され、他の一つは動作波長領域にない光スイッチングブロックに入力されてろ波されることを特徴とする。
【００１０】
　また、本発明の光回線分配システムの各波長用光スイッチングブロックは、Ｍ×Ｍマトリックス構造の光分配装置と；光分配装置のＭ個の入力端及びＭ個の出力端にそれぞれ接続されて光分配装置との入出力の双方向の信号を伝送する光サーキュレータを備えるとなお好ましい。
【００１１】
　さらに好ましくは、各波長用光スイッチングブロックは、光サーキュレータを介して光分配装置のＭ個の入力端に入力される光信号の雑音発生を防止するための広域通過フィルタをさらに備えるとよい。
【００１２】
　また、光回線分配システムの入力端子及び出力端子の個数Ｍは２であるとよい。
【００１３】
　そしてまた、本発明である光回線分配システムの光スイッチングブロックは、それぞれ前記Ｎ個のカプラの分岐されたそれぞれのポート間に配置され、相互接続された波長分割多重化/逆多重化装置の個別ポートから入力される該当波長の両光信号を進行方向に伝送したり、各光信号の進行方向と逆方向に伝送すると好ましい。
【００１４】
　また、光スイッチングブロックは、Ｎ個のカプラの分岐されたそれぞれのポートに接続されて該当波長の光信号を通過させる１対の広域通過フィルタ；及びの広域通過フィルタ間に配置されて該当波長の両信号を進行方向に通過させたり、それぞれの進行方向の逆方向に反射させる光学用鏡を備えるとよい。
【００１５】
　光またそして、本発明の光回線分配システムのスイッチングブロックは、それぞれＮ個のカプラの分岐されたそれぞれのポート間に配置され、波長の光信号を反射させるブラッグ格子から構成されるとよい。
【発明の効果】
【００１６】
　本発明によれば、光回線分配システムは、Ｍ/２個の２×Ｎ　ＡＷＧの素子で、回路構成に必要な素子数最小化し、構成が簡単で、低コストが実現できる。したがって、将来、光通信ネットワークの進化に伴って急増する通信容量を効率的で経済的に処理できる新規のネットワークノード構造の具現化を可能にする。
【発明を実施するための最良の形態】
【００１７】
　以下、本発明の好適な一実施形態について図２ないし図４を参照して詳細に説明する。図中、同一の構成要素には可能な限り同一番号及び同一符号を共通に使用し、本発明の詳細な説明にあたり、周知技術については適宜説明を省略するものとする。
【００１８】
　図２は、本発明の一実施形態に係る、２×２光回線分配システム２００の構成を示す図である。本発明の一実施形態の２×２光回線分配システム２００は、２つの入力端子と２つの出力端子を有し、２つの３端子光サーキュレータ２１０、２２０、と一つの２×Ｎ波長分割多重化/逆多重化器２３０、Ｎ個のカプラ２４１〜２４４及びＮ個の光スイッチングブロック２５１〜２５３を含めて構成される。
【００１９】
　２つの３端子光サーキュレータ２１０（第１光サーキュレータ）、２２０（第２光サーキュレ−タ）は、入出力の双方向の信号を処理できるように光信号の経路を定める機能を有する。第１光サーキュレータ２１０及び第２光サーキュレータ２２０は、第１端子２１１、２２１にＮ個の波長が分割多重化された光信号（ＩＦ１、ＩＦ２）を入力し、第２端子２１２、２２２に接続された波長分割多重化/逆多重化器２３０の第１多重化ポート２３１及び第２多重化ポート２３２へ出力させたり、波長分割多重化/逆多重化器２３０から出力されるＮ個波長が分割多重化された光信号（ＯＦ１、ＯＦ２）を第２端子２１２、２２２を介して第３端子２１３、２２３へ出力させたりする。
【００２０】
　２×Ｎ波長分割多重化/逆多重化器２３０は、２つの多重化ポートとＮ個の逆多重化ポートを持つＡＷＧで構成されており、第１光サーキュレータ２１０及び第２光サーキュレータ２２０の第２端子２１２、２２２と多重化ポート２３１、２３２に接続され、多重化ポート２３１、２３２に入力されたＮ個波長が分割多重化された光信号を逆多重化してＮ個の逆多重化ポート２３３〜２３６へ出力する波長分割逆多重化器の機能を有する。また、Ｎ個の逆多重化ポート２３３〜２３６にそれぞれ入力される個別波長の光信号を多重化して第１光サーキュレータ２１０及び第２光サーキュレータ２２０の第２端子２１２、２２２と、それぞれ接続された多重化ポート２３１、２３２に出力する波長分割多重化器の機能を有する。
【００２１】
　Ｎ個の１×２カプラ２４１〜２４４は、２×Ｎ波長分割多重化/逆多重化器２３０のＮ個の逆多重化ポート２３３〜２３６と互いに接続し、この逆多重化ポート２３３〜２３６から出力される個別波長の光信号を分岐してカプラに伝送する。Ｎ個のカプラはそれぞれ隣接ポート(ａ、ｂ)に分岐され、分岐されたそれぞれの隣接ポート(ａ、ｂ)をカプラと共有する。
【００２２】
　Ｎ個の光スイッチングブロック２５１〜２５３は、それぞれＮ個のカプラ２４１〜２４４で分岐されて、それぞれのポート間に配置され、該当波長の二つの信号を進行方向に通過させたり、その進行方向と逆方向に反射させたりする機能を有する。光スイッチングブロック２５１〜２５３は、Ｎ個のカプラ２４１〜２４４で分岐されて、それぞれのポートに接続され該当波長の光信号を通過させる１対の広域通過フィルタ２５２−１と、この１対の広域通過フィルタ２５２−１との間に配置されて該当波長の２つの信号を進行方向に通過させたり、それぞれの進行方向と逆方向に反射させる光学用鏡２５２−２とから構成される。また、光スイッチングブロック２５１〜２５３は該当波長の光信号を反射させるブラッグ格子で構成してもよい。
【００２３】
　次に、上述した構成を有する本発明の一実施形態に係る、２×２光回線分配システムの動作を説明する。
【００２４】
　再び図２を参照すれば、第１光サーキュレータ２１０の第１端子２１１に入力されたＮ個の波長が分割多重化された光信号は、第２端子２１２を介して２×Ｎ多重化/逆多重化器２３０の第１多重化ポート２３１に伝送され、波長分割逆多重化されて逆多重化ポート２３３〜２３６に伝送される。以下、説明の便宜上λ１光信号についてのみ説明し、他の光信号（λ２、λ３、…λＮ）の説明はλ１光信号と同一なので省略する。逆多重化されて逆多重化ポート２３３に伝送されたλ１光信号は、カプラ２４１で電力が分配されて隣接ポート(ａ、ｂ)に伝送される。この分配されたλ１光信号うち第２多重化ポート２３２に伝送される一方の光信号は、光スイッチングブロック２５１を介してカプラ２４２へ伝送され、カプラ２４２と接続された２×Ｎ多重化器/逆多重化器２３０の逆多重化ポート２３４に伝送され、波長分割多重化されて２×Ｎ多重化器/逆多重化器２３０の第２多重化ポート２３２へ伝送される。このように多重化された光信号は、第２光サーキュレータ２２０の第２端子２２２を介して第３端子２２３へ出力される。これに対し、カプラ２４１で分配された信号のうち他の光信号は、光スイッチングブロック２５３を通過しカプラ２４４を介して波長分割多重化/逆多重化器２３０の逆多重化ポート２３６に伝達されても、これはＡＷＧの特性上λ１光信号の通過ポートでないので遮断されることになる。
【００２５】
　これと同様に、第２光サーキュレータ２２０の第１端子２２１から入力にたＮ個波長が分割多重化された光信号は、第２端子２２２を介して２×Ｎ多重化/逆多重化器２３０の第２多重化ポート２３２へ伝送され、波長分割逆多重化されて逆多重化ポート２３３〜２３６に伝送される。ここでλ１光信号についてのみ説明すると、逆多重化されて逆多重化ポート２３４に伝送されたλ１光信号は、カプラ２４２で電力が分配されて隣接ポート(ｂ、ｃ)に伝達される。ここで分配された光信号のうち第１多重化ポート２３１に伝送される一方の光信号は、光スイッチングブロック２５１を通過し隣接カプラ２４１に伝達され、カプラ２４１と接続された２×Ｎ多重化器/逆多重化器２３０の逆多重化ポート２３３へ出力されて波長分割多重化された後、２×Ｎ多重化器/逆多重化器２３０の第１多重化ポート２３１に伝送される。このようにして多重化された信号は、第１光サーキュレータ２１０の第２端子２１２を介して第３端子２１３に出力される。カプラ２４２で分配された光信号のうち他の光信号は、光スイッチングブロック２５２を通過してカプラ２４３を介して波長分割多重化/逆多重化器２３０の逆多重化ポート２３５に伝達されるが、これはＡＷＧの特性上λ１光信号の通過ポートでないので遮断されることになる。
【００２６】
　図３は、本発明に係るＭ×Ｍ光回線分配システム３００の構成を示す図であり、本発明の一実施形態である、前述した図２の２つの入力端子と、２つの出力端子を有する２×２光回線分配システムを、Ｍ個の入力端子と、Ｍ個の出力端子を有するＭ×Ｍ光回線分配システムに拡張するための構成である。因みに、本発明の一実施形態に係る図面ではλ１光信号の経路だけを示して説明し、他のλ２、λ３、…、λＮ光信号の経路については、λ１光信号の経路の説明と同一なのでその説明を省略する。
【００２７】
　図２及び図３を参照すれば、本発明のＭ×Ｍ光回線分配システム３００は、２個の光サーキュレータ２１０、２２０、一つの２×Ｎ多重化/逆多重化器２３０、Ｎ個のカプラ２４１〜２４４、及びＮ個の光スイッチングブロック２５１〜２５３で構成された図２の２×２光回線分配システムをＭ/２個備える。ここで、光スイッチングブロックは、Ｎ個の波長が分割多重化された個別波長の入力光信号をそれぞれＭ個ずつ収容するためにＮ個のＭ×Ｍ光スイッチングブロック３５１〜３５３から構成される。
【００２８】
　次に、上述のような構成を有する本発明の一実施形態に係る、Ｎ×Ｎ光回線分配システムの動作を説明する。
【００２９】
　まず、光サーキュレータ３０１〜３０６は、第１端子から入力されるＮ個波長が分割多重化された光信号を第２端子と接続された２×Ｎ波長分割多重化/逆多重化器３１０、３２０、３３０へ出力する。
【００３０】
　２×Ｎ波長分割多重化/逆多重化器３１０、３２０、３３０は、光サーキュレータ３０１〜３０６に入力されるＮ個波長が分割多重化された光信号からそれぞれの波長に該当する信号を分離してＮ個の逆多重化ポートと接続された１×２カプラ３１１、３１２、３２１、３２２、３３１、３３２へ出力する。
【００３１】
　１×２カプラ３１１、３１２、３２１、３２２、３３１、３３２は、２×Ｎ波長分割多重化/逆多重化器３１０〜３３０から出力される逆多重化波長の光信号を分配して該当波長の光スイッチングブロック３５１〜３５３へ出力する。
【００３２】
　光スイッチングブロック３５１〜３５３は、カプラ３１１、３１２、３２１、３２２、３３１、３３２から出力されたその動作領域にある波長の光信号を入力して所望の出力端子に分配する機能を有する。このため、本発明の光回線分配システムの光スイッチングブロックは図４に示すような構成を持つ。
【００３３】
　図４は本発明に係る、光回線分配システムの拡張のための各波長別Ｍ×Ｍ光スイッチングブロックの構成を示すブロック図であり、以下の説明の便宜のためにλ１用光スイッチングブロックを具体化して示す。
【００３４】
　図４を参照すれば、本発明のλ１用Ｍ×Ｍ光スイッチングブロック３５１は、一つのＭ×Ｍ光スイッチング装置４７０と、Ｍ×Ｍ光スイッチの各入力ポートSi１〜SiＭに接続された広域通過フィルタ４８０〜４８５と、Ｍ×Ｍ光スイッチの各出力ポートSo１〜SoＭに接続されたＭ個の３端子光サーキュレータ４１０〜４６０とから構成される。ここで、Ｍ×Ｍ光スイッチングブロック３５１は、Ｍ個のポートＳ１〜ＳＭを有し、それぞれのポートは入出力の双方向の信号を処理できるように光サーキュレータ４１０〜４６０に接続される。
【００３５】
　図４を参照すれば、３端子光サーキュレータ４１０〜４６０は、Ｍ×Ｍ光スイッチングブロック３５１のＭ個ポートＳ１〜ＳＭに入力される同一波長の光信号を第１端子４１１に入力し、第２端子４１２と接続された広域通過フィルタ４８０〜４８５を介してＭ×Ｍ光スイッチング装置４７０のそれぞれの入力ポートSi１〜SiＭへ出力する。また、Ｍ×Ｍ光スイッチング装置４７０の出力ポートSo１〜SoＭから出力される光信号を第３端子４１３を介して第１端子４１１と接続されたＭ×Ｍ光スイッチングブロック３５１の各ポートＳ１〜ＳＭへ出力する双方向信号伝送機能を行う。ここで、広域通過フィルタ４８０〜４８５は、３端子光サーキュレータ４１０〜４６０を介してＭ×Ｍ光スイッチング装置４７０のＭ個の入力端に入力される光信号の雑音を防止するために構成される。
【００３６】
　Ｍ×Ｍ光スイッチング装置４７０は、光サーキュレータ４１０〜４６０の第２端子４１２と接続された広域通過フィルタ４８０〜４８５を介して入力ポートSi１〜SiＭに同一波長の光信号を入力し、所望の出力端子に分配してＭ×Ｍ光スイッチング装置４７０の出力ポートSo１〜SoＭと接続された光サーキュレータの第３端子４１３へ出力する。
【００３７】
　前述した本発明の一実施形態に係る、Ｎ×Ｎ光回線分配システムの動作をλ１経路を用いて以下に具体的に説明する。
【００３８】
　図３及び図４を参照すれば、まず、各光サーキュレータ３０１〜３０６の第１端子Ｉ１〜ＩＭに入力されるＭ個の、Ｎ個波長が分割多重化された光信号は、第２端子を介して２×Ｎ波長分割多重化/逆多重化器３１０〜３３０へ伝送される。伝送された光信号は２×Ｎ波長分割多重化/逆多重化器３１０〜３３０によりそれぞれの波長に該当する信号に分離され、Ｎ個の逆多重化ポートと接続された１×２カプラ３１１、３１２、３２１、３２２、３３１、３３２に伝送される。この時、λ１光信号はＣ１、ＣＮ+１、Ｃ(Ｍ/２−１)+１カプラ３４１、３４３、３４５にて分配される。この分配されたλ１光信号のうち一方の光信号は、λ１用Ｍ×Ｍ光スイッチングブロック３５１へ伝送され、他の光信号はλＮ用Ｍ×Ｍ光スイッチングブロック３５３へ伝送される。λＮ用Ｍ×Ｍ光スイッチングブロック３５３に伝送されたλ１光信号は、光スイッチングブロック３５３の動作領域にないので遮断される。λ１用Ｍ×Ｍ光スイッチングブロック３５１のポートＳ１〜ＳＭにそれぞれ伝送されたλ１光信号は、Ｍ個の各光サーキュレータの第１端子４１１を介して第２端子４１２と接続された広域通過フィルタ４８０を介してλ１用Ｍ×Ｍ光スイッチング装置４７０のそれぞれの入力ポートSi１〜SiＭへ伝送され、λ１用Ｍ×Ｍ光スイッチング装置４７０の動作領域にあるので所望の出力ポートに経路を変更してＭ×Ｍ光スイッチング装置４７０の出力ポートSo１〜SoＭへ伝送される。伝送されたλ１光信号は、Ｍ×Ｍ光スイッチング装置４７０の出力ポートSo１〜SoＭに接続された光サーキュレータの第３端子(例えば、４１３)を介して第１端子と接続されたＭ×Ｍ光スイッチングブロック３５１のポートＳ１〜ＳＭに伝送され、Ｃ２、ＣＮ+２、Ｃ(Ｍ/２−１)Ｎ+２カプラ３４２、３４４、３４６を介して２×Ｎ波長分割多重化器/逆多重化器３１０、３２０、３３０の逆多重化ポート３１２、３２２、３３２へ伝送される。この逆多重化ポートに伝送されたλ１光信号は、波長分割多重化されて２×Ｎ多重化器/逆多重化器３１０、３２０、３３０の多重化ポートに接続された光サーキュレータ３０２、３０４、３０６の第２端子を介して第３端子Ｏ２、Ｏ４、ＯＭへ出力される。
【００３９】
　前述した過程により、本発明のＭ×Ｍ光回線分配システムは、Ｍ個の、Ｎ個波長が分割多重化された光信号を各波長別に分離した後、該当波長の光スイッチングブロックに接続して所望の方に経路を変更し伝送できるようにする。
【００４０】
　前述の如く、本発明の詳細な説明では具体的な一実施形態を参照して詳細に説明してきたが、本発明の範囲内で様々な変形が可能であるこということは、当該技術分野における通常の知識を持つ者には明らかである。したがって、本発明の範囲は前述説明した一実施形態によって限られるべきではなく、特許請求の範囲及び特許請求の範囲の均等なものによって決定されるべきである。
【００４１】
　前述したように、Ｍ個の入力光ファイバとＭ個の出力光ファイバを処理するＭ×Ｍ光回線分配システムにおいて、多重化/逆多重化器の具現化のために従来は２Ｍ個の１×Ｎ　ＡＷＧ素子を必要としたが、本発明ではＭ/２個の２×Ｎ　ＡＷＧ素子を必要とする。このように本発明の光回線分配システムは必要素子数を最小化できるため、構成が簡単で、しかも低コスト化が可能となる。したがって、将来、光通信ネットワークの進化に伴って急増する通信容量を効率的で経済的に処理できる新規のネットワークノードの具現化を可能にできる。
【図面の簡単な説明】
【００４２】
【図１】従来の２×２光回線分配システムの構成を示す図。
【図２】本発明の一実施形態に係る、２×２光回線分配システムの構成を示す図。
【図３】本発明に係る、Ｍ×Ｍ光回線分配システムの構成を示す図。
【図４】本発明に係る、Ｍ×Ｍ光スイッチングブロックの構成を示す図。
【符号の説明】
【００４３】
２００　２×２光回線分割システム
２１０　３端子サーキュレータ（第１サーキュレータ）
２１１　第１端子
２１２　第２端子
２１３　第３端子
２２０　３端子サーキュレータ（第２サーキュレータ）
２３０、３１０〜３３０　２×Ｎ波長分割多重化／逆多重化器
２３１　第１多重化ポート
２３２　第２多重化ポート
２３３〜２３６　逆多重化ポート
２４１〜２４４、３１１〜３３２　カプラ
２５１〜２５３　光スイッチングブロック
３００　Ｍ×Ｍ光回線分配システム
３０１〜３０６　光サーキュレータ
３５１〜３５３　光スイッチングブロック
【図１】
2004135331.tif 000003
【図２】
2004135331.tif 000004
【図３】
2004135331.tif 000005
【図４】
2004135331.tif 000006